(57)【特許請求の範囲】
【請求項１】
互いに平行な２つの横断方向ステーを有する構造群支持体であって、前記横断方向ステーがガイドレールによって互いに結合されており、該ガイドレールにガイド収容部が設けられており、該ガイド収容部でプリント配線板がガイドレール長手方向に移動可能であり、該ガイドレールの側方に単数もしくは複数の空気供給部が配置されており、前記プリント配線板で被覆されてないガイドレールの空気供給部が、カバー部材で被覆可能である形式のものにおいて、
ガイドレール（２０）が、係止収容部（２３）を有しており、カバー部材が、係止部材（３７）を有しており、係止収容部（２３）および係止部材（３７）が係止結合部を形成しており、カバー部材（３０）が、係止結合部によって、予め組み立てられた１つのユニットを成して空気供給部の通気を遮断するようにガイドレール（２０）に結合可能であることを特徴とする、構造群支持体。
【請求項２】
カバー部材（３０）が１つのまたは２つの張出部（３３）を有しており、該張出部（３３）がガイド収容部（２２）の端部を超えて延びている、請求項１記載の構造群支持体。
【請求項３】
カバー部材（３０）がウェブ（３２）を有しており、該ウェブ（３２）がガイド収容部（２２）の側方に当接するようになっており、ウェブの構造高さがガイド収容部（２２）の構造高さを超えないように構成されている、請求項１記載の構造群支持体。
【請求項４】
カバー部材（３０）が、互いに向かい合う、一体成形された２つの係止部材（３７）を有しており、ガイドレール（２０）には空気供給部として働く２つの貫通部（２３）が設けられており、該貫通部（２３）に前記係止部材（３７）が係合して係止するように構成されている、請求項１記載の構造群支持体。
【請求項５】
カバー部材（３０）が工具収容部（３５）および／または操作部材（３５．１）を有しており、該工具収容部（３５）および／または操作部材（３５．１）によって、カバー部材（３０）とガイドレール（２０）との間の係止結合部が解除可能である、請求項１記載の構造群支持体。
【請求項６】
カバー部材（３０）の、横断方向ステー（１０）の方向に延在する幅はガイドレール（２０）の幅と同じかもしくはガイドレール（２０）の幅より小さく構成されている、請求項１記載の構造群支持体。
【請求項７】
カバー部材（３０）がガイド突出部（３４）を有しており、該ガイド突出部（３４）が、係止結合部を係合して係止する前にカバー部材（３０）をガイドレール（２０）に整合するように構成されている、請求項１記載の構造群支持体。
【請求項８】
カバー部材（３０）がプラスチック射出成形部材またはプラスチック押出部材として形成されている、請求項１記載の構造群支持体。
【請求項９】
互いに平行な２つの横断方向ステーを有する構造群支持体であって、前記横断方向ステーがガイドレールによって互いに結合されており、該ガイドレールにガイド収容部が設けられており、該ガイド収容部でプリント配線板がガイドレール長手方向に移動可能であり、該ガイドレールの側方に単数もしくは複数の空気供給部が配置されており、前記プリント配線板で被覆されてないガイドレールの空気供給部が、カバー部材で被覆可能である形式のものにおいて、
ガイドレール（２０）が、係止収容部（２３）を有しており、カバー部材が、係止部材（３７）を有しており、係止収容部（２３）および係止部材（３７）が係止結合部を形成しており、ガイドレール（２０）が、係止結合部によって、予め組み立てられた１つのユニットを成すようにカバー部材（３０）に結合可能であり、ガイドレール（２０）が、ガイド収容部（２２）の端部において２つの付設部（２４）によって横断方向ステー（１０）の長手方向で拡径されており、ガイド収容部（２２）と付設部（２４）とによって空気供給部（２７）が側方で制限されており、前記カバー部材が空気供給部（２７）を覆うプレートを有していることを特徴とする、構造群支持体。
【請求項１０】
カバー部材（３０）が１つのまたは２つの張出部（３３）を有しており、該張出部（３３）がガイド収容部（２２）の端部を超えて延びている、請求項９記載の構造群支持体。
【請求項１１】
カバー部材（３０）がウェブ（３２）を有しており、該ウェブ（３２）がガイド収容部（２２）の側方に当接するようになっており、ウェブの構造高さがガイド収容部（２２）の構造高さを超えないように構成されている、請求項１０記載の構造群支持体。
【請求項１２】
カバー部材（３０）が、互いに向かい合う、一体成形された２つの係止部材（３７）を有しており、ガイドレール（２０）には空気供給部として働く２つの貫通部（２３）が設けられており、該貫通部（２３）に前記係止部材（３７）が係合して係止するように構成されている、請求項１１記載の構造群支持体。
【請求項１３】
カバー部材（３０）が工具収容部（３５）および／または操作部材（３５．１）を有しており、該工具収容部（３５）および／または操作部材（３５．１）によって、カバー部材（３０）とガイドレール（２０）との間の係止結合部が解除可能である、請求項１２記載の構造群支持体。
【請求項１４】
カバー部材（３０）の、横断方向ステー（１０）の方向に延在する幅はガイドレール（２０）の幅と同じかもしくはガイドレール（２０）の幅より小さく構成されている、請求項１３記載の構造群支持体。
【請求項１５】
カバー部材（３０）がガイド突出部（３４）を有しており、該ガイド突出部（３４）が、係止結合部を係合して係止する前にカバー部材（３０）をガイドレール（２０）に整合するように構成されている、請求項１４記載の構造群支持体。
【請求項１６】
カバー部材（３０）がプラスチック射出成形部材またはプラスチック押出部材として形成されている、請求項１５記載の構造群支持体。
【発明の詳細な説明】
【０００１】
本発明は、互いに平行な２つの横断方向ステーを有する構造群支持体であって、前記横断方向ステーがガイドレールによって互いに結合されており、該ガイドレールにガイド収容部が設けられており、該ガイド収容部でプリント配線板がガイドレール長手方向に移動可能であり、該ガイドレールの側方に単数もしくは複数の空気供給部が配置されており、前記プリント配線板で被覆されてないガイドレールの空気供給部が、カバー部材で被覆可能である形式のものに関する。
【０００２】
このような形式の構造群支持体は、ドイツ連邦共和国特許第３８３７０２９号明細書により公知である。この構造群支持体では、カバー部材はフード状に構成されている。このカバー部材は蓋区分を有しており、該蓋区分にはガイド条片が取り付けられている。このガイド条片はガイドレールのガイド収容部に係合する。
【０００３】
さらに蓋区分は垂直な保持部材を有しており、この保持部材は横断方向ステーにまで延びている。これらの横断方向ステーには列状の固定収容部が設けられており、これらの固定収容部は部分パターンを成して互いに間隔をおいて位置している。カバー部材の保持部材は固定付設部を有しており、これらの固定付設部は横断方向ステーの固定収容部内に挿入可能である。構造群支持体内の制限されたスペース状態においてカバー部材を横断方向ステーに取り付けることは特に困難である。カバー部材を取り付けるためには保持部材の固定突出部を前側の横断方向ステーにも後側の横断方向ステーにも固定しなければならない。後側の固定突出部を所属の固定収容部に挿入する際には特に問題が生ぜしめられる。
【０００４】
本発明の課題は、冒頭に記載した形式の構造群支持体を改良して、カバー部材をガイドレールに簡単に取り付けることができるような構造群支持体を提供することである。
【０００５】
この課題は、ガイドレールが係止結合部によって、予め組み立てられた１つのユニットを成すようにカバー部材に結合可能であることによって解決された。
【０００６】
この構成により、カバー部材をガイドレールと一緒に作業段階において位置決めして取り付けることが可能である。しかしながらカバー部材は要求に応じて簡単にガイドレールから解除されるので、そのため係止結合部は解除されなければならない。
【０００７】
本発明の有利な変化実施例に基づき、ガイドレールをガイド収容部の端部において、２つの付設部を用いて横断方向ステーの長手方向で拡径されており、ガイド収容部と付設部によって空気供給部が側方で制限されており、カバー部材が空気供給部を覆うプレートを有している。カバーが装着された際に、プリント配線板を誤ってガイド収容部に挿入されるのを防止するするために、カバー部材が単数もしくは複数の張出部を有しており、該張出部がガイド収容部の端部を超えて延びているように構成することもできる。
【０００８】
構造群支持体において利用可能な内室がカバー部材によって制限されていないので、本発明の可能な変化実施例に基づき、カバー部材がウェブを有しており、このウェブがガイド収容部に側方で当接するようになっており、ウェブの構造高さがガイド収容部の構造高さを超えないように構成されている。
【０００９】
係止結合部の構成はカバー部材が、互いに向かい合う、一体成形された２つの係止部材を有しており、ガイドレールには空気供給部として働く２つの貫通部が設けられており、これらの貫通部に前記係止部材が係合して係止されるような構成であってよい。
【００１０】
カバー部材は迅速かつ簡単にガイドレールから解除可能であるように、カバー部材には工具収容部および／または操作部材を設けることができる。
【００１１】
有利な形式では、カバー部材の、横断方向ステーの方向に延在する幅は、ガイドレールの幅と同じかもしくはガイドレールの幅より小さく構成されている。
【００１２】
ガイドレールへのカバー部材の簡単で精度の高い組付けを保証するために、カバー部材がガイド突出部を有しており、係止結合部を係合して係止する前に前記ガイド突出部が、カバー部材をガイドレールに整合するるように構成されている。
【００１３】
次に図面に示した実施例に基づき本発明を詳説する。
【００１４】
図１は、構造群支持体の２つの横断方向ステーと１つのガイドレールとカバー部材との斜視図であり、
図２は、ガイドレール上に組み付けられたカバー部材の部分斜視図であり、
図３は、工具を付け加えた図２に示した構造ユニットの図である。
【００１５】
図１には構造群支持体の２つの横断方向ステー１０が示されている。これらの横断方向ステー１０は押出し成形体として形成されていて、成形体半製品を短く切断することによって形成することができる。これらの横断方向ステー１０は成形体長手方向に延在するねじ通路１２をそれぞれ１つ有している。後方の横断方向ステー１０は後方保持部１０を有しており、この後方保持部１０にはプラスチック成形体を取り付けることができる。これらのプラスチック成形体は後方プレート部材を絶縁して装着するために働く。前方の横断方向ステー１０にはアンダカットされた溝１４が設けられており、この溝１４には付設部材を取り付けることができる。両横断方向ステー１０にはそれぞれ１つの係止縁部１５が設けられており、これらの係止縁部１５は構成群支持体の内室に面している。係止縁部１５の領域では横断方向ステー１０が、列状の固定収容部１１を有していて、しかも固定収容部は部分パターンを成して互いに間隔をおいて配置されている。固定収容部１１の列は横断方向ステー１０の長手方向に延びている。
【００１６】
固定収容部１１にはガイドレール２０を取り付けることができる。これらのガイドレール２０は支持区分２１を有しており、この支持区分２１は構造群支持体の深さ方向に延びている。この支持区分２１はガイド収容部２２を有している。このガイド収容部は横断方向でＵ字形に形成されていて、プリント配線板を取り付けるために働く。支持区分２１の端部には付設部２４が配置されている。これらの付設部２４によって支持区分２１は横断方向ステー１０の長手方向延在方向に拡径されている。これらの付設部２４にはピン２５と係止突出部２６とが一体成形されている。ピン２５と係止突出部２６とは横断方向ステー１０に向かう方向で突出している。付設部２４ごとに２つのピン２５と１つの係止突出部２６とがそれぞれ設けられている。これらのピン２５はガイドレール２０を横断方向ステー１０に組み付けるために固定収容部１１内に挿入される。この挿入された状態では係止突出部２６が、横断方向ステー１０の係止縁部１５の後方でスナップ結合されている。
【００１７】
付設部２４と支持区分２１もしくはガイド収容部２２は空気ガイド部２７を制限する。さらに付設部２４には貫通部が設けられていて、これらの貫通部を同様に空気ガイドのために使用することができる。これらの空気ガイド部は、カバー部材３０を取り付けるための係止部材収容部としても使用される。空気ガイド部２７（および係止部材収容部２３）は、ガイド収容部２２に挿入されたプリント配線板に連続して空気を供給するために使用される。ガイド収容部２２にプリント配線板が挿入されてない場合には、空気ガイド部２７（２３）をカバー部材３０で覆うことができる。
【００１８】
カバー部材３０は水平方向のプレート３１を有しており、このプレート３１には垂直方向のウェブ３２が接続している。プレート３１は両長手方向側の端部に、垂直な端成壁部３６を有している。これらの端成壁部３６は水平方向でウェブ２を超えて延びていて、したがって側方の張出部３３を形成する。プレート３１の領域において端成壁部３６に工具収容部３５が設けられている。これらの工具収容部３５は貫通部として形成されている。工具収容部３５と張出部３３との間にはガイド突出部３４が配置されている。
【００１９】
プレート３１の裏面には２つの係止部材３７がカバー部材に３０に一体的に成形されている。これらの係止部材３７は互いに向かい合う係止突起を有している。
【００２０】
カバー部材３０をガイドレール２０に取り付けるために、係止部材３７は係止部材収容部２３に挿入される。この場合に係止部材３７の係止突起は、係止部材収容部２３の縁部の後にスナップ結合されるまで係止部材収容部２３の縁部において変位される。係止部材３７の挿入時にかつ係合による係止前に、図２および図３で分かるように、ガイド突出部３４はガイド収容部２２の側方に整合されている。このような整合によってカバー部材３０の嵌合精度の高い組付けが容易に可能である。組付けられた状態でカバー部材３０のウェブ３２はガイド収容部２２の側方で接触している。このプレート３１は空気ガイド部２７もしくは係止部材収容部２３を覆っている。
【００２１】
図２から、カバー部材３０の幅がガイドレール２０の幅に相応しているのが分かる。このカバー部材３０を、ガイドレール２０と一緒に１つのユニットを成すように予め組み立てることができる。このユニットは構造群支持体に組付けることができる。ガイドレール２０にプリント配線板を挿入したい場合には、カバー部材３０を簡単に取り外すことができる。図２および図３には簡単にカバー部材３０を取り外すことができる２つの変化例が示されている。図２に基づき、工具収容部３５の領域に操作部材３５．１が一体成形されている。この操作部材３５．１は端成壁部３６から直角に突出した舌片として形成されている。この操作部材３５．１を一本の指で下から押し上げ、次いでカバー部材３０を持ち上げることができる。この場合、係止部材３７は係止収容部２３との嵌合が解除されている。カバー部材３０の解除は工具によっても可能である。工具を工具収容部３５に挿入することができる。それからカバー部材３０をてこ作用で取り外すことができ、この場合、工具はガイドレールの前側で支持されている。図３に基づいた変化実施例では工具としてドライバ４０が使用されており、このドライバ４０が工具収容部３５内に差し込まれている。このドライバ４０を用いて、カバーを、てこ作用を利用して取り外すことができる。
【図面の簡単な説明】
【図１】構造群支持体の２つの横方向ステーと１つのガイドレールとカバー部材との斜視図である。
【図２】ガイドレール上に組付けられたカバー部材の部分斜視図である。
【図３】工具を付け加えた図２に示した構造ユニットの図である。
【符号の説明】
１０  横断方向ステー、  １１  固定収容部、  １２  ねじ通路、  １３  、  １４  溝、  １５  係止縁部、  ２０  ガイドレール、  ２１  支持区分、  ２２  ガイド収容部、  ２３  係止部材収容部、  ２４  付設部、  ２５  ピン、  ２６  係止突出部、  ２７  空気ガイド部、  ３０  カバー部材、  ３１  プレート、  ３２  ウェブ、  ３３  張出部、  ３４  ガイド突出部、  ３５  工具収容部、  ３５．１  操作部材、  ３６  端成壁部、  ３７  係止部材、  ４０  ドライバ
【図１】
0003605362.tif 000002
【図２】
0003605362.tif 000003
【図３】
0003605362.tif 000004